(57)【要約】【課題】使用者の使い勝手に応じて吐水スタンドの吐水口の位置を任意に変更できると共に、吐水スタンドに自立性を持たせた状態で所望の設置場所に容易に設置固定できるようになり、使用者の好みに十分に対応できる水処理装置を提供すること。【解決手段】水処理を行なう水処理装置本体３と、水処理装置本体３で生成された処理水を吐出するための吐水スタンド２とが別体で構成されていると共に、水処理装置本体３と吐水スタンド２とを接続する流路がフレキシブル管２３で構成されており、吐水スタンド２の先端部に吐水口２４を設け、基端部２７ｃに吐水スタンド２を任意の設置場所に着脱自在に固定する固定手段２５を設けた水処理装置２０である。【選択図】図１
2008168240.tif 000002
【特許請求の範囲】
【請求項１】
水処理を行なう水処理装置本体と、水処理装置本体で生成された処理水を吐出するための吐水スタンドとが別体で構成されていると共に、水処理装置本体と吐水スタンドとを接続する流路がフレキシブル管で構成されており、吐水スタンドの先端部に吐水口を設け、基端部に吐水スタンドを任意の設置場所に着脱自在に固定する固定手段を設けてなることを特徴とする水処理装置。
【請求項２】
前記吐水スタンドは、先端下面に吐水口を有し、基端部に給水口を有する管形状のスパウトと、スパウトの基端部側に取着される台座部とを備えており、台座部の外周壁の複数箇所に前記フレキシブル管の先端部が挿入可能な側面開口部を設けると共に、台座部の内側にフレキシブル管の先端部に接続される第１の接続口とスパウトの給水口に接続される第２の接続口とを備えた流路接続用の継手部を設け、該継手部の第１の接続口が前記台座部に設けた複数の側面開口部のいずれかに対向できるように回転可能となっていることを特徴とする請求項１記載の水処理装置。
【請求項３】
前記スパウトの先端下面の吐水口の向きを台座部に対して可変自在としたことを特徴とする請求項２記載の水処理装置。
【請求項４】
前記スパウトの給水口と前記継手部の第２の接続口とを連結するための連結手段が、スパウトの給水口の外周側に突設したフランジ部と継手部の第２の接続口の外周部に突設したフランジ部とを挟持することにより両フランジ部を連結保持するための挟持具で構成されていることを特徴とする請求項２記載の水処理装置。
【請求項５】
前記固定手段は、吐水スタンド又はその設置場所の一方に設けられた磁石と、他方に設けられた磁性体とで構成されていることを特徴とする請求項１記載の水処理装置。
【請求項６】
前記水処理装置本体から吐水スタンドへの処理水の水質の切り替えを操作するための操作部を吐水スタンドの台座部の上面部分に設けたことを特徴とする請求項２乃至３のいずれか一項に記載の水処理装置。
【発明の詳細な説明】
【技術分野】
【０００１】
本発明は、水処理装置に関し、詳しくは水処理装置本体により生成された浄水、イオン水等の処理水を吐水する吐水スタンドに関するものである。
【背景技術】
【０００２】
従来から、洗面台や流し台のシンク周りに設置される水処理装置として、例えば、水栓から供給される水道水をカートリッジにてろ過して浄水を吐出させる浄水器や、ろ過した水道水の水質を電気分解によってアルカリ性および酸性に変える電解槽を内蔵したアルカリイオン整水器（例えば、特許文献１参照）などが知られている。
【０００３】
ところが前記特許文献１に開示された従来例では、水処理装置の上面から吐水管を突設し、吐水管の先端部に設けた吐水口から処理水（例えばアルカリ性水）を吐出させているため、吐水口の位置が水処理装置の設置場所に限定されており、例えば水処理装置を流し台に設置する場合において、シンク廻りの任意の場所に吐水管を自由に配置できず、使用者の好みに対応できないという課題を有していた。
【特許文献１】特開２０００−３３４４５７号公報
【発明の開示】
【発明が解決しようとする課題】
【０００４】
本発明は前記の従来の問題点に鑑みて発明したものであって、使用者の使い勝手に応じて吐水口の位置を任意に変更できる吐水スタンドを得ると共に、吐水スタンドを所望の設置場所に自立性を持たせた状態で設置固定でき、使用者の好みに十分に対応できる水処理装置を提供することを課題とし、また、フレキシブル管の捻れ等を是正しながらフレキシブル管の接続をスムーズに行なうことができ、また、吐水口の方向を自由に調整可能となり、また、吐水スタンドを非常に安価で組み立て性を良くできると共にメンテナンスも容易となり、また、吐水スタンドの設置場所として水平面に限らず、傾斜面や垂直面など、任意の設置場所に固定でき、さらに、処理水の水質の切り替え操作を吐水スタンド側で容易に行なうことが可能な水処理装置を提供することを課題とするものである。
【課題を解決するための手段】
【０００５】
前記課題を解決するために本発明に係る水処理装置は、水処理を行なう水処理装置本体３と、水処理装置本体３で生成された処理水を吐出するための吐水スタンド２とが別体で構成されていると共に、水処理装置本体３と吐水スタンド２とを接続する流路がフレキシブル管２３で構成されており、吐水スタンド２の先端部に吐水口２４を設け、基端部に吐水スタンド２を任意の設置場所に着脱自在に固定する固定手段２５を設けてなることを特徴としている。
【０００６】
このような構成とすることで、水処理装置本体３から吐水スタンド２を独立させて両者２，３を繋ぐ流路を柔軟なフレキシブル管２３で構成したので、吐水スタンド２を水処理装置本体３から独立して任意の設置場所に自由に設置できるようになる。しかも、吐水スタンド２は任意の設置場所に固定される固定手段２５を備えているので、吐水スタンド２に自立性を持たせた状態で所望の設置場所に容易に固定設置可能となる。
【０００７】
また、前記吐水スタンド２は、先端下面に吐水口２４を有し、基端部２７ｃに給水口２６を有する管形状のスパウト２７と、スパウト２７の基端部２７ｃ側に取着される台座部２８とを備えており、台座部２８の外周壁の複数箇所に前記フレキシブル管２３の先端部が挿入可能な側面開口部２９を設けると共に、台座部２８の内側にフレキシブル管２３の先端部に接続される第１の接続口３１とスパウト２７の給水口２６に接続される第２の接続口３２とを備えた流路接続用の継手部３０を設け、該継手部３０の第１の接続口３１が前記台座部２８に設けた複数の側面開口部２９のいずれかに対向できるように回転可能となっているのが好ましく、この場合、フレキシブル管２３の先端部を継手部３０の第１の接続口３１に接続する際に、第１の接続口３１をフレキシブル管２３が挿入される側面開口部２９側に回転させるだけでフレキシブル管２３の捻れ等を是正しながら、フレキシブル管２３の接続をスムーズに行なうことができると共に、フレキシブル管２３を台座部２８の外周側に引き回す必要もなくなる。
【０００８】
また、前記スパウト２７の先端下面の吐水口２４の向きを台座部２８に対して可変自在とするのが好ましく、この場合、台座部２８の向きを変えることなく、スパウト２７の吐水口２４の方向を自由に調整できるようになる。
【０００９】
また、前記スパウト２７の給水口２６と前記継手部３０の第２の接続口３２とを連結するための連結手段が、スパウト２７の給水口２６の外周側に突設したフランジ部３４と継手部３０の第２の接続口３２の外周部に突設したフランジ部３５とを挟持することにより両フランジ部３４，３５を連結保持するための挟持具３３で構成されているのが好ましく、この場合、挟持具３３にて両フランジ部３４，３５を挟持するだけで、スパウト２７の給水口２６と継手部３０の第２の接続口３２との連結作業をワンタッチで行なえるようになる。
【００１０】
また、前記固定手段２５は、吐水スタンド２又はその設置場所３６の一方に設けられた磁石３７と、他方に設けられた磁性体３８とで構成されているのが好ましく、この場合、設置場所３６として水平面に限らず、傾斜面や垂直面など、任意の設置場所３６に対して吐水スタンド２をワンタッチで固定可能となる。
【００１１】
また、前記水処理装置本体３から吐水スタンド２への処理水の水質の切り替えを操作するための操作部３９を吐水スタンド２の台座部２８の上面部分に設けるのが好ましく、この場合、処理水が吐出する吐水スタンド２の台座部２８側で処理水の水質の切り替え操作を行なえるようになる。
【発明の効果】
【００１２】
以上のように、請求項１記載の発明は、水処理装置本体から吐水スタンドを独立させて両者を繋ぐ流路を柔軟なフレキシブル管で構成したことにより、使用者の使い勝手に応じて吐水口の位置を任意に変更できるようになり、しかも吐水スタンドに設けた固定手段によって吐水スタンドに自立性を持たせた状態で所望の設置場所に容易に設置固定できるようになり、使用者の好みに十分に対応できる水処理装置を提供できるものである。
【００１３】
また請求項２記載の発明は、前記フレキシブル管の先端部に接続される継手部の第１の接続口を回転可能としたことにより、台座部の外周壁に設けた複数の側面開口部のいずれからフレキシブル管の先端部が挿入されても、第１の接続口をフレキシブル管が挿入される側面開口部側に回転させるだけで、フレキシブル管の捻れ等を是正しながら、フレキシブル管の接続をスムーズに行なえると共に、フレキシブル管を台座部の外周側に引き回す必要もないためフレキシブル管の長さを必要最短長さにでき、フレキシブル管が邪魔にならず、外観上の納まりや見栄えが良くなる。
【００１４】
また請求項３記載の発明は、前記スパウトの先端下面の吐水口の向きを台座部に対して可変自在としたことにより、台座部の向きを変えることなく、スパウトの吐水口の方向を自由に調整可能となり、使い勝手が良くなる。
【００１５】
また請求項４記載の発明は、前記スパウトの給水口の外周側に突設したフランジ部と継手部の第２の接続口の外周部に突設したフランジ部とを挟持する挟持具を用いて両フランジ部を連結保持したことにより、スパウトの給水口と継手部の第２の接続口との連結作業をワンタッチで行なえることになり、非常に安価で組み立て性が良くなる。しかも、保守点検時には挟持具を抜き取るだけで、スパウトと継手部とを容易に分解でき、メンテナンス性が向上する。
【００１６】
また請求項５記載の発明は、前記固定手段を、吐水スタンド又はその設置場所の一方に設けられた磁石と、他方に設けられた磁性体とで構成したことにより、設置場所として水平面に限らず、傾斜面や垂直面など、任意の設置場所に対して吐水スタンドをワンタッチで固定でき、使い勝手が一段と良くなる。
【００１７】
また請求項６記載の発明は、前記水処理装置本体から吐水スタンドへの処理水の水質の切り替えを操作するための操作部を吐水スタンドの台座部の上面部分に設けたことにより、処理水が吐出する吐水スタンドの台座部側で処理水の水質の切り替え操作を行なうことが可能となり、操作性が更に向上する。
【発明を実施するための最良の形態】
【００１８】
以下、本発明を添付図面に示す実施形態に基いて説明する。
【００１９】
図１は本発明の水処理装置２０の一実施形態であり、水処理を行なう水処理装置本体３と、水処理装置本体３で生成された処理水を吐出するための吐水スタンド２とが別体で構成されている。
【００２０】
図２は前記水処理装置本体３の一例として、水道水や井戸水等の源水を電気分解して、飲料用や医療用として利用するアルカリイオン水及び洗浄用等に利用する酸性イオン水を生成する電解水生成装置を例示している。
【００２１】
この電解水生成装置の装置本体３内には、図２に示すように、内部配管及び、電解水生成装置の主体となる浄水部４、カルシウム供給部５、電解槽７をはじめとする機器が収容されている。内部配管は、上流側端部に水道等の原水管１が接続され、内部配管の途中には上流側から順に、内部に原水中の残留塩素を吸収する活性炭及び一般細菌や不純物を取り除く中空紙膜を備えた浄水部４、通水を確認して後述の制御部１５に制御指示をする流量センサ６、グリセロリン酸カルシウムや乳酸カルシウム等のカルシウムイオンを原水中に付与し導電率を高めるカルシウム供給部５、流量センサ６を経由してきた水を電気分解する電解槽７が配設してある。
【００２２】
電解槽７は、隔膜８によって槽内が二分されて形成された各電極室に電極板９，１０を備えている。そして、一方の電極板９を備えた側の電極室には、この電極室にて生成される使用水（電極板９が陰極の場合はアルカリイオン水、陽極の場合は酸性イオン水）を吐出するためのフレキシブル管２３が接続される。フレキシブル管２３の先端部は後述の吐水スタンド２に接続されている。これに対して、他方の電極板１０を備えた側の電極室には、この電極室にて生成される使用されない方の水（電極板１０が陽極の場合は酸性イオン水、陰極の場合はアルカリイオン水）を排出するための排水管１３が接続されており、排水電磁弁１１を開いて排水を行う。また、排水管１３の排水電磁弁１１の上流側の部分には、内部配管の電解槽７の上流側の部分から分岐した排水用バイパス管１３ａが接続され、この途中に設けたバイパス弁１３ｂを開いて電解槽７内の滞留水や浄水部４内の滞留水を排水する。なおバイパス弁１３ｂに代えて絞りを設けてもよい。また、排水管１３には、電解槽７で電解水を効率よく生成するため流量調整弁等からなる流量調節部１２が設けてある。
【００２３】
また装置本体３には、浄水部４内のカートリッジ（図示せず）の有無を検出する浄水器センサ１４、商用の交流電源に接続される電源投入用プラグ１７、電源投入用プラグ１７からの交流電源を直流電源に変える制御用電源部１６、装置本体３の動作を制御する制御部１５、装置本体３の操作状態を表示する表示部１８ｂ及び、ｐＨ調節ボタン等の本体側操作部１８ａを備えた操作表示部１８と、後述の吐水スタンド２側に設けた水質切替用の操作部３９の送信手段４１から送信された操作信号を受信する受信手段とが設けてある。ここで、アルカリイオン水生成モードと浄水モードと酸性イオン水生成モードのいずれかの選択は、該吐水スタンド２の水質切替用の操作部３９からの遠隔操作によって行なわれる。また、モード選択の後に通水すると制御部１５によって極性（すなわち一方の電極板９を備えた側の電極室からアルカリイオン水生成と酸性イオン水生成のいずれが生成されるか）と通水状態が判断され、電解槽７での電気分解後にいずれかのモードにて選択された水が吐出される。なお、ｐＨ調節ボタン（図示せず）によって強モード、中上モード、中下モード、弱モードのいずれか一つのモードを選択することもでき、表示報知部１８ｂはこれらの動作状態をＬＥＤまたはＬＣＤにより表示し、且つ必要に応じて報知音を発生させる。
【００２４】
制御部１５は、ＭＰＵ（Micro Processing Unit）１５ａ、極性切換部１５ｂ、電解電圧スイッチング部１５ｃを備えており、ＭＰＵ１５ａが流量センサ６や浄水器センサ１４や本体側操作部１８ａ、吐水スタンド２の水質切替用の操作部３９から制御指示を得て演算処理して必要に応じて排水電磁弁１１、表示報知部１８ｂに動作指示をする。極性切換部１５ｂは、ＭＰＵ１５ａからの動作指示に応じて極性を切り替えるものである。電解電圧スイッチング部１５ｃは、ＭＰＵ１５ａからの動作指示に応じて、制御用電源部１６から出力された直流電圧電流をパルス変調することで電解槽７に印加する平均電圧を変化させる。そして、この電解電圧スイッチング部１５ｃでパルス変調された平均電圧に応じて、アルカリイオン水のｐＨ濃度を変化させることができる。
【００２５】
ここで、本発明においては、図１に示すように、前記水処理装置本体３から独立して、処理水吐出用の吐水スタンド２が設けられていると共に、水処理装置本体３と吐水スタンド２とを接続する流路が柔軟なフレキシブル管２３を用いて構成されている。
【００２６】
本例の吐水スタンド２は、図３に示すように、先端下面に吐水口２４を有する管形状のスパウト２７と、スパウト２７の基端部２７ｃを支持する台座部２８と、台座部２８を任意の設置場所に着脱自在に固定する固定手段、例えば後述する永久磁石３７と磁性体３８（図４、図７参照）とを備えている。
【００２７】
前記管形状のスパウト２７は、図３に示すように、先端部２７ａと基端部２７ｃとの間にＬ字形の屈曲部２７ｂを有しており、屈曲部２７ｂを鋭角に屈曲させることによって先端程下方に向けて下り傾斜させてある。つまり、スパウト２７は屈曲部２７ｂから先端部２７ａに向かって前下がりに傾斜し、最も低い先端下面から吐水口２４が下方に向けて突出している。
【００２８】
しかして、前記構成のように水処理装置本体３と吐水スタンド２とを別体で構成すると共に、両者２，３を繋ぐ流路を柔軟なフレキシブル管２３で構成したことにより、水処理装置本体３から独立して吐水スタンド２の設置位置を自由に変えることができ、使用者の使い勝手に応じて吐水口２４の位置を任意に変更できるようになり、使用者の好みに十分に対応できるようになる。しかも、吐水スタンド２は任意の設置場所に固定される磁石３７（図４）を備えているので、吐水スタンド２に自立性を持たせた状態で所望の場所に容易に設置できるようになり、使い勝手が更に良くなる。
【００２９】
また、前記台座部２８に水質切替用の操作部３９を設けることにより、処理水が吐出する吐水スタンド２側で処理水の水質の切り替えを行なうことができるので、水処理装置本体３側に水質切替用の操作部３９を設けた場合と比較して、使いやすくなる。ちなみに、台座部２８の上面の操作部３９を操作する際に、スパウト２７の吐水口２４が低いと手がスパウト２７に当たりやすくなって操作がしにくいものであるが、本例のようにスパウト２７を屈曲部２７ｂから先端部２７ａに向かって前下がりに傾斜させることで、操作部３９からスパウト２７の屈曲部２７ｂまでの高さが高くなって、手がスパウト２７の先端部２７ａ側に当たりにくくなり、操作性が良くなる利点もある。
【００３０】
図４は、本発明の他の実施形態の吐水スタンド２を例示しており、本例ではスパウト２７の吐水口２４を除いた外周部全体を中空管形状のスパウトカバー４２で覆っている。スパウトカバー４２はスパウト２７と同じＬ字状に屈曲管形状をしており、スパウトカバー４２の先端側は、スパウト２７と同様、先端程下方に向けて下り傾斜していると共に、スパウトカバー４２における吐水口２４よりも後方Ｂ位置の下面部分には水抜き孔４３が切欠形成されている。この水抜き孔４３は、スパウト２７外周面とスパウトカバー４２内周面との隙間に発生する結露水を吐水口２４よりも後方Ｂ位置で外部に排出するためのものである。また本例では、スパウトカバー４２の水抜き孔４３を吐水口２４よりも後方Ｂ位置において、前後に長く形成すると共に、水抜き孔４３の吐水口２４近傍位置にリブ４４を架け渡しており、水抜き孔４３の数がリブ４４を挟んで前後に２箇所設けられた構造となっている。なおスパウトカバー４２は、樹脂製や金属製は問わないが、洗剤等の薬品に対して耐薬品性が高い材質、例えばステンレス鋼などが好ましい。
【００３１】
しかして、スパウトカバー４２によってスパウト２７の外観にボリューム感とデザイン自由度とが付与され、使用者に高級なイメージを与えることになり、外観上の見栄えが良くなる。しかも、スパウト２７とスパウトカバー４２とが二重構造となり、スパウト２７の強度が高まり、吐水スタンド２の先端部に荷重がかけられた時に、スパウト２７が根元から折損したりする心配がなく、強度に優れたスパウト２７が得られる。さらに、スパウトカバー４２内に溜まった汚れた結露水や水垢等がスパウトカバー４２内面の下り傾斜によって吐水口２４側に向かって流下する際に、吐水口２４の後方Ｂ位置（吐水口２４よりも高い位置）に切欠した水抜き孔４３から外部に排出されるので、汚れた結露水や水垢等が吐水口２４から吐出する処理水に混入する虞がなくなる。そのうえ水抜き孔４３近傍にリブ４４を架け渡しているので、スパウトカバー４２を補強でき、さらに水抜き孔４３の縁を伝う水がリブ４４を伝って下方に落下することで吐水口２４まで達するのを確実に防止できる。つまり、リブ４４は、スパウトカバー４２の補強用以外に水切用としても機能するようになり、スパウトカバー４２の強度向上と水抜き孔４３の後方Ｂ位置での水切り性向上の両方を図ることができる利点もある。
【００３２】
図５、図６は、前記フレキシブル管２３の先端部とスパウト２７の給水口２６とを流路接続用の継手部３０を介して接続する場合の一例を示している。継手部３０は吐水スタンド２の台座部２８の内部に設けた収納空間４５内に収納されている。台座部２８の継手部３０を収納する収納空間４５を囲む外周壁の複数箇所にフレキシブル管２３の先端部が挿入可能な側面開口部２９が設けられている。本例では、台座部２８の外周壁の１８０°離れた反対側の２箇所に側面開口部２９がそれぞれ設けられている。
【００３３】
本例の継手部３０の一端側には、図６（ａ）に示すように、フレキシブル管２３の先端部に抜差自在に嵌め込み接続される第１の接続口３１が設けられ、継手部３０の他端側には、スパウト２７の給水口２６に抜差自在に嵌め込み接続される第２の接続口３２が設けられ、第１の接続口３１と第２の接続口３２とが回転筒部４６を介して互いに連通している。回転筒部４６は、図４（ａ）に示すように、第１の接続口３１と連通する連通孔を有する小径筒部４６ｂと、第２の接続口３２と連通する連通孔を有する大径筒部４６ａとで構成され、小径筒部４６ｂの内端部を大径筒部４６ａの内端部の内側に挿入した状態で、小径筒部４６ｂの外周面と大径筒部４６ａの内周面との間がＯリング（図示せず）によってシールされた状態で且つ両者４６ａ，４６ｂが互いに回転自在な状態で保持されると共に、第１の接続口３１と第２の接続口３２とが回転筒部４６を介して互いに連通した状態となる。大径筒部４６ａの外端面及び小径筒部４６ｂの外端面にはそれぞれ一対の回転軸４７が突設され、各回転軸４７が台座部２８の継手部３０を収納する収納空間４５の対向する内壁面に形成された一対の縦凹溝４８に軸支されている。
【００３４】
さらに本例では回転筒部４６を構成する大径筒部４６ａと小径筒部４６ｂとが横軸Ｍ（図５）廻りに互いに１８０°回転自在となっており、台座部２８の一方の側面開口部２９からフレキシブル管２３の先端部が挿入されたときは継手部３０の第１の接続口３１を該一方の側面開口部２９に向けて配置でき、逆に、他方の側面開口部２９からフレキシブル管２３の先端部が挿入されたときは、図５の矢印で示すように、継手部３０の第１の接続口３１を１８０°回転させることで該他方の側面開口部２９から挿入されるフレキシブル管２３との接続が可能となっている。
【００３５】
しかして、台座部２８の２つの側面開口部２９のいずれか一方から挿入されるフレキシブル管２３に合わせて継手部３０の第１の接続口３１の向きを横軸Ｍ廻りに１８０°回転させることによりフレキシブル管２３の捻れ等を是正しながら、フレキシブル管２３と第１の接続口３１との接続をスムーズに行なえるようになると共に、フレキシブル管２３を台座部２８の外周側に引き回す必要もないためフレキシブル管２３の長さを必要最短長さにでき、フレキシブル管２３が邪魔にならず、外観上の納まりや見栄えが良くなる。
【００３６】
次に、図４（ａ）、図６を参照して、スパウト２７の給水口２６と継手部３０の第２の接続口３２とを連結するための連結手段を説明する。本例の連結手段は、スパウトカバー４２の基端部２７ｃの外周面から突設したフランジ部３４と、継手部３０の第２の接続口３２の外周面から突設したフランジ部３５とを挟持することにより両フランジ部３４，３５を連結保持するための挟持具３３で構成されている。本例の挟持具３３は、台座部２８の継手部３０を収納する収納空間４５内に収納可能な大きさの略Ｕ字状に形成されていると共にその内面に沿って一端が開放されたコ字形溝４９が形成されている。コ字形溝４９の縦方向の溝幅は図６（ｂ）に示すように、両フランジ部３４，３５を重ね合わせた状態で両フランジ部３４，３５を上下から挟持できる幅寸法とされる。
【００３７】
先ず、台座部２８内に継手部３０を配した状態で、スパウト２７の給水口２６を台座部２８のスパウト挿入用孔５４を介して継手部３０の第２の接続口３２の内側に差し込むと、スパウト２７の吐水口２４の外周面に設けたＯリング５０（図４（ａ））によって給水口２６の外周面と第２の接続口３２の内周面との間がシールされた状態となり且つスパウト２７が第２の接続口３２に対して回転自在な状態で保持された状態となり、またこの状態で、スパウトカバー４２の基端部２７ｃが第２の接続口３２の外周面に嵌め込まれてスパウトカバー４２の基端部２７ｃの外周面から突出したフランジ部３４と継手部３０の第２の接続口３２の外周面に突設したフランジ部３５とが互いに重ね合わされた状態となる。本例では、スパウトカバー４２の基端部２７ｃの外周面が台座部２８のスパウト挿入用孔５４の内周面に隙間なく摺接した状態となる。その後、台座部２８の収納空間４５内において横方向から挟持具３３のコ字形溝４９を両フランジ部３４，３５に嵌め込んで両フランジ部３４，３５を互いに密着状態で挟持し（図６（ｂ）の状態）、その後、図６（ａ）に示す挟持具３３の端部に設けたネジ挿入孔６１からネジ６２を挿入して台座部２８のスパウト挿入用孔５４近傍に設けたネジ孔６３にネジ止めすることで、両フランジ部３４，３５を挟持した挟持具３３を台座部２８の収納空間４５内に固定できるようになると共に、スパウト２７及びスパウトカバー４２が台座部２８から自立性を有する起立状態で保持できるようになる。
【００３８】
しかして、挟持具３３にて両フランジ部３４，３５を挟持するだけで、スパウト２７の給水口２６と継手部３０の第２の接続口３２との連結作業をワンタッチで行なうことができるので、非常に安価で組み立て性が良くなる。さらに、保守点検時には挟持具３３を抜き取るだけで、スパウト２７と継手部３０とを容易に分解でき、メンテナンス性が向上する。また、スパウト２７の給水口２６は継手部３０の第２の接続口３２内にシール状態で回転自在に挿入され、且つ、スパウトカバー４２のフランジ部３４と継手部３０のフランジ部３５とが互いに回転自在な状態で挟持具３３にて挟持されているため、スパウト２７及びスパウトカバー４２が共に継手部３０の第２の接続口３２及び台座部２８に対して図７の縦軸Ｎ廻りに回転自在となり、結果、スパウト２７の先端部２７ａの吐水口２４が図７の矢印方向イに向かって台座部２８に対して縦軸Ｎ廻りに回転自在となり、台座部２８の向きを変えることなく、吐水口２４の向きを手で可変調整自在となり、使い勝手が一層良くなる。
【００３９】
前記台座部２８内の収納空間４５以外の部分は、図４に示す例では、電池や制御回路等が内蔵される部品収納部５５となっており、部品収納部５５の底面中央には着脱自在な電池カバー５６が配置され、底面両サイド側には固定手段２５を構成する永久磁石３７が内蔵されている。なお電池に代えて外部電源を用いてもよい。一方、吐水スタンド２が設置される設置場所３６には、図７に示すように、金属板等からなる磁性体３８が設けられる。しかして、台座部２８の底部分に設けた永久磁石３７と設置場所３６に設けた磁性体３８との磁気吸着力によって吐水スタンド２の台座部２８を任意の設置場所３６に動かないようにワンタッチで固定できるようになる。また設置場所３６としては水平面に限らず、傾斜面や垂直面など、任意の場所に固定できる利点もある。なお、台座部２８側に磁性体３８を設け、設置場所３６側に永久磁石３７を設けてもよい。更に他例として、永久磁石３７と磁性体３８との組み合わせに代えて、台座部２８の底部分に吸盤を設けて設置場所３６に吸引させる固定方式であってもよい。
【００４０】
図８〜図１０は、前記吐水スタンド２の台座部２８の上面部分に設けられる水質切替用の操作部３９の具体例を示す。本例の水質切替用の操作部３９には、アルカリ性イオン水を選択するアルカリ釦５１と、酸性イオン水を選択する酸性水釦５２と、浄水を選択する浄水釦５３と、制御手段２１とが設けられていると共に、操作部３９が操作された際に、水処理装置本体３に設けた受信手段４０に操作信号（例えば赤外線信号）を送信するための送信手段４１とが設けられている。操作部３９によって水処理装置本体３の運転モードをアルカリイオン水モード、酸性イオン水モード、浄水モードのいずれかの運転モードに切り替え可能となっている。
【００４１】
つまり、アルカリ釦５１を操作してアルカリイオン水モードを選択した状態では、図２に示す水処理装置本体３の排水電磁弁１１を開くと共にバイパス弁１３ｂを閉じた状態とすると共に、電極板９が陰極、電極板１０が陽極となるように両電極板９、１０間に電圧を印加することで、フレキシブル管２３からアルカリイオン水が吐出する。また酸性釦５２を操作して酸性イオン水モードを選択したときは、電極板９が陽極で電極板１０が陰極となるように両電極板９、１０間に電圧を印加することによりフレキシブル管２３から酸性水が吐出する。一方、浄水釦５３を操作して浄水モードを選択すると、排水電磁弁１１を閉じると共にバイパス弁１３ｂを閉じた状態とし、またこの浄水モードでは両電極板９、１０には電圧を印加しないため、フレキシブル管２３から浄水が吐出する。ここでは図９に示すように、吐水スタンド２の送信手段４１として２つの送信部４１ａ，４１ｂを設けてあり、一方、水処理装置本体３には図１０に示すように、１個の受信手段４０を所定角度θで傾けて配置してあり、各送信部４１ａ，４１ｂは上方の天井に向けて操作部３９による操作信号を送信するものであり、赤外線を照射するＬＥＤのような光学式の送信素子で構成してある。一方、受信手段４０は前記天井を反射した操作信号を受信可能となっている。本例では、図９（ｂ）のように送信部４１ａ，４１ｂを鉛直方向に対して角度θａ又は角度θｂだけ左右方向に傾斜させていると共に、図１０（ｂ）のように受信手段４０を所定角度θで傾斜させたことにより、受信手段４０は斜め方向からの操作信号を最も受信しやすくなると共に、複数ある送信部２９ａ、２９ｂのうちいずれかの送信部の送信方向に通信を阻害する障害物が位置したとしても、他の送信部によって受信手段４０との通信を確保することができ、吐水スタンド２を障害物を考慮することなく自由な位置に設置できるようになっている。また異なる送信部２８ａ、２８ｂから送信される操作信号を位相をずらして送信することで操作信号が重複することによる誤作動を防止することが可能である。
【００４２】
前記各実施形態では、スパウト２７及びスパウトカバー４２を先端程下方に向けて下り傾斜させる構造を説明したが、勿論これに限らず、図１１に示すように、スパウト２７及びスパウトカバー４２を先端程上方に向けて上り傾斜させるようにしてもよい。この場合、スパウトカバー４２の内側に溜まる汚れた結露水や水垢等は吐水口２４よりも低い基端部２７ｃ側に向かって流れ落ちるので、前記実施形態と同様に、汚れた結露水や水垢等が吐水口２４から吐出する処理水に混入することを確実に防止できるという利点があり、そのうえ台座部２８の上面の操作部３９を操作する際に、スパウト２７の吐水口２４が高くなることで、手がスパウト２７に当たりにくくなって操作性が一層良くなるという利点もある。
【図面の簡単な説明】
【００４３】
【図１】本発明の一実施形態を示す水処理装置本体から独立した吐水スタンドの設置状態を説明する斜視図である。
【図２】同上の水処理装置を構成する電解水生成装置の概略構造図である。
【図３】同上の吐水スタンドの側面図である。
【図４】（ａ）は他の実施形態の吐水スタンドの側面断面図、（ｂ）は下面図である。
【図５】同上の継手部とフレキシブル管との接続状態を説明する斜視図である。
【図６】（ａ）は同上の継手部のフランジ部とスパウトカバーのフランジ部とを挟持具を用いて接続する場合を説明する分解斜視図、（ｂ）は挟持具により両フランジ部を挟持した状態を説明する断面図である。
【図７】同上の吐水スタンドを磁石にて設置場所に固定する場合の説明図である。
【図８】同上の吐水スタンドの斜視図である。
【図９】（ａ）は同上の水質切替用の操作部の説明図、（ｂ）は２つの送信部を鉛直方向に対して異なる角度で左右方向に傾斜させた状態の説明図である。
【図１０】（ａ）（ｂ）は同上の水処理装置本体側に設けられる受信手段の説明図である。
【図１１】本発明の更に他の実施形態の吐水スタンドの側面断面図である。
【符号の説明】
【００４４】
２  吐水スタンド
３  水処理装置本体
２０  水処理装置
２３  フレキシブル管
２４  吐水口
２５  固定手段
２６  給水口
２７  スパウト
２７ａ  先端部
２７ｃ  基端部
２８  台座部
２９  側面開口部
３０  継手部
３１  第１の接続口
３２  第２の接続口
３３  挟持具
３４，３５  フランジ部
３７  磁石
３８  磁性体
３９  操作部
【図１】
2008168240.tif 000003
【図２】
2008168240.tif 000004
【図３】
2008168240.tif 000005
【図４】
2008168240.tif 000006
【図５】
2008168240.tif 000007
【図６】
2008168240.tif 000008
【図７】
2008168240.tif 000009
【図８】
2008168240.tif 000010
【図９】
2008168240.tif 000011
【図１０】
2008168240.tif 000012
【図１１】
2008168240.tif 000013